(57)【特許請求の範囲】
【請求項１】
フェース面を有したヘッド本体と、該ヘッド本体とは別体のホゼルとを有し、該ホゼルが該ヘッド本体に着脱可能に取り付けられているゴルフクラブヘッドにおいて、
該ホゼルは、シャフトが挿入されるホゼル穴を有した筒体と、該筒体の側面からヘッド後方側に突設され、該筒体の筒軸心と平行方向に延在した取付片とを備えており、
前記ヘッド本体には、該ホゼルが挿入されるホゼル挿入穴が設けられており、
該ホゼル挿入穴は、前記筒体が挿入された筒体挿入部と、前記取付片が挿入された取付片挿入部とを備えており、
前記取付片に、上下に離隔して複数個の雌螺子穴が設けられており、
前記ヘッド本体のヒール部には、各雌螺子穴と同軸状となるように複数個の小孔が設けられており、
該小孔を通して各雌螺子穴に螺子がねじ込まれることにより該ホゼルが該ヘッド本体に固定されていることを特徴とするゴルフクラブヘッド。
【請求項２】
請求項１において、前記ホゼル挿入穴の内面とホゼルの外面との間の少なくとも一部に弾性材が介在されていることを特徴とするゴルフクラブヘッド。
【請求項３】
請求項１又は２において、前記ホゼルの挿入方向先端側の側周面から板ばねが突出しており、前記ホゼル挿入穴の内周面に該板ばねが係合した凹部が設けられており、
該凹部に達するように細孔が該ヘッド本体の外面から貫設されていることを特徴とするゴルフクラブヘッド。
【請求項４】
請求項１又は２において、前記ホゼルの挿入方向先端側の側周面からスプリングによって突出方向に付勢された突起が突出しており、前記ホゼル挿入穴の内周面に該突起が係合した凹部が設けられており、
該凹部に達するように細孔が該ヘッド本体の外面から貫設されていることを特徴とするゴルフクラブヘッド。
【請求項５】
請求項１ないし４のいずれか１項に記載のゴルフクラブヘッドと、先端側が前記ホゼル穴に挿入され、接着剤でホゼルに固着されているシャフトと、該シャフトに装着されたグリップとを有するゴルフクラブ。
【請求項６】
請求項５において、前記グリップは、シャフト長手方向に延在する凸条部を有することを特徴とするゴルフクラブ。
【請求項７】
請求項６において、前記凸条部は、アドレス状態で地面を向く面に設けられていることを特徴とするゴルフクラブ。
【請求項８】
請求項５ないし７のいずれか１項に記載のゴルフクラブのシャフトを新たなシャフトに交換する方法であって、
予め新たなシャフトを前記ヘッド本体のホゼルと同型のホゼルに固着して新たなホゼル・シャフト連結体を作成しておき、
ゴルフクラブに取り付けられているホゼルをヘッド本体から取り外し、このヘッド本体に新たなホゼル・シャフト連結体を取り付けることを特徴とするゴルフクラブのシャフト交換方法。
【発明の詳細な説明】
【技術分野】
【０００１】
本発明は、ゴルフクラブヘッドに係り、特にヘッド本体に対し別体のホゼルを取り付けたゴルフクラブヘッドに関する。また、本発明は、このゴルフクラブヘッドを有するゴルフクラブと、このゴルフクラブのシャフト交換方法とに関する。
【背景技術】
【０００２】
ゴルフクラブは、シャフトの先端部にヘッドが取り付けられ、シャフトの基端側にグリップを装着したものである。
【０００３】
従来の一般的なゴルフクラブヘッドにあっては、ヘッドに直にホゼル穴が設けられており、シャフトは該ホゼル穴に挿入され、接着剤によって固着されている。なお、この接着剤は、一般にエポキシ系接着剤が用いられており、シャフト交換に際しホゼル部分を加熱してエポキシ樹脂硬化物よりなる組織を壊すことにより、シャフトを引き抜くことができる。
【０００４】
特開平１１−１７８９５４には、ヘッド本体とホゼルとを別体とし、このホゼルをヘッド本体にねじによって固定したゴルフクラブヘッドが記載されている。この特開平１１−１７８９５４では、ホゼルの下端側に板状のネック部を設け、このネック部をヘッド本体の挿着部に差し込み、ねじで固定している。このように板状のネック部をヘッド本体に固定することにより、ボールをヒットしたインパクト時にネック部にしなりを生じさせ、シャフトとホゼルとの結合部に生じる応力集中が緩和される。
【特許文献１】特開平１１−１７８９５４号公報
【発明の開示】
【発明が解決しようとする課題】
【０００５】
上記特開平１１−１７８９５４のゴルフクラブヘッドでは、ヘッド本体とホゼルとの結合強度及び剛性が不足し、力強いインパクト感が得られない。また、ホゼル位置が過度に高くなる。
【０００６】
また、上記特開平１１−１７８９５４のゴルフクラブヘッドでは、板状のネック部を備えているため、シャフトを軸心回りに１８０°回しても該シャフトをゴルフクラブヘッドに取り付けることが可能である。そのため、シャフトの周方向の位相が一義的に定まらない。
【０００７】
本発明は、上記従来の問題点を解消し、ヘッド本体に対し、それとは別体のホゼルとを強固に固定することができ、シャフトの周方向の位相が一義的に定まり、ホゼル高さが適正であり、しかもヘッド本体に対するホゼルの着脱が容易であるゴルフクラブヘッドと、このゴルフクラブヘッドを用いたゴルフクラブと、このゴルフクラブのシャフト交換方法とを提供することを目的とする。
【課題を解決するための手段】
【０００８】
本発明のゴルフクラブヘッドは、フェース面を有したヘッド本体と、該ヘッド本体とは別体のホゼルとを有し、該ホゼルが該ヘッド本体に着脱可能に取り付けられているゴルフクラブヘッドにおいて、該ホゼルは、シャフトが挿入されるホゼル穴を有した筒体と、該筒体の側面からヘッド後方側に突設され、該筒体の筒軸心と平行方向に延在した取付片とを備えており、前記ヘッド本体には、該ホゼルが挿入されるホゼル挿入穴が設けられており、該ホゼル挿入穴は、前記筒体が挿入された筒体挿入部と、前記取付片が挿入された取付片挿入部とを備えており、前記取付片に、上下に離隔して複数個の雌螺子穴が設けられており、前記ヘッド本体のヒール部には、各雌螺子穴と同軸状となるように複数個の小孔が設けられており、該小孔を通して各雌螺子穴に螺子がねじ込まれることにより該ホゼルが該ヘッド本体に固定されていることを特徴とするものである。
【００１３】
本発明のゴルフクラブは、本発明のゴルフクラブヘッドと、先端側が前記ホゼル穴に挿入され、接着剤でホゼルに固着されているシャフトと、該シャフトに装着されたグリップとを有するものである。
【００１６】
本発明のゴルフクラブのシャフト交換方法は、本発明のゴルフクラブのシャフトを新たなシャフトに交換する方法であって、予め新たなシャフトを前記ヘッド本体のホゼルと同型のホゼルに固着して新たなホゼル・シャフト連結体を作成しておき、ゴルフクラブに取り付けられているホゼルをヘッド本体から取り外し、このヘッド本体に新たなホゼル・シャフト連結体を取り付けることを特徴とするものである。
【発明の効果】
【００１７】
本発明のゴルフクラブヘッドは、ヘッド本体に設けたホゼル挿入穴にホゼルを挿入し、固定したものである。このホゼル挿入穴が筒体挿入部及び取付片挿入部を備えており、ホゼルの筒体及び取付片が各挿入部に挿入されているので、ホゼルの取付強度及び剛性が高い。
【００１８】
この取付片挿入部を筒体挿入部のヘッド後方側に配置し、螺子挿通用の小孔をヘッド本体のヒール部に設けることにより、螺子が目立たないものとなる。また、この取付片挿入部にホゼルの取付片を挿入することにより、ホゼル及びシャフトとヘッド本体との係合関係が一義的に定まったものとなる。従って、シャフトの一部に凸条部が設けられている場合、この凸条部が必ず特定の向きとなる。
【００１９】
ホゼル挿入穴の内面とホゼルの外面との間の少なくとも一部に弾性材を介在させることにより、ホゼルのガタツキを防止することができる。また、インパクト時の衝撃や振動を吸収することもできる。
【００２０】
本発明のゴルフクラブは、このゴルフクラブヘッドにシャフトを取り付けたものである。このゴルフクラブヘッドのホゼルがヘッド本体に対し着脱可能であるため、シャフト交換を容易に行うことができる。また、シャフトを交換しても、シャフトの凸条部が必ず特定の向きとなる。
【００２１】
シャフト交換を行うには、交換すべき新たなシャフトに対し、予めゴルフクラブヘッドのホゼルと同型のホゼルを取り付けておく。既存のゴルフクラブから、シャフト共々ホゼルを取り外し、代わりに新たなホゼル付きシャフト（ホゼル・シャフト連結体）のホゼルを取り付ける。このようにすれば、従来のように加熱によって接着剤の組織を壊してシャフトを取り外し、新たなシャフトを再度接着剤で取り付けるという面倒な手間及び時間を省くことができる。そのため、試打したばかりのゴルフクラブのヘッドからシャフトを取り外し、このヘッドに異なる特性の別シャフトを取り付けて直ちに試打を行うことができるので、ゴルフショップ等でゴルファーが適切なゴルフクラブを見出すことが極めて容易となる。
【発明を実施するための最良の形態】
【００２２】
以下、図面を参照して実施の形態について説明する。第１図は実施の形態に係るゴルフクラブヘッド正面図、第２図はゴルフクラブヘッドのヒール側の側面図である。第３図（ａ）はホゼルの側面図、第３図（ｂ）は同（ａ）のＢ−Ｂ線断面図、第４図は第１図のIV−IV線断面図、第５図は第２図のＶ−Ｖ線断面図、第６図は弾性材を取り付けたホゼルの平面図、第７図はシャフトの取付、交換方法を示す斜視図である。なお、以下の説明において、後方とは、飛球線方向と反対方向をいう。
【００２３】
このゴルフクラブヘッド１は、ヘッド本体２と、このヘッド本体２に取り付けられたホゼル３とを有する。このゴルフクラブヘッド１は中空のウッド型のものであり、フェース部２ａと、クラウン部２ｂと、ソール部２ｃと、トウ部２ｄと、ヒール部２ｅと、バック部２ｆとを有する。
【００２４】
ホゼル３は、シャフト４が挿入されるホゼル穴３ａを有した筒体３ｂと、この筒体３ｂの側面から突設された取付片３ｃと、この取付片３ｃに設けられた雌螺子穴３ｄとを有する。取付片３ｃは直方体形状であり、筒体３ｂの筒軸心と平行方向に延在している。雌螺子穴３ｄは、この取付片３ｃをヒール側からトウ側に向って貫通している。雌螺子穴３ｄの内周面には雌螺子が刻設されている。
【００２５】
ヘッド本体２には、その上面のヒール側かつフェース側から凹陥するように、このホゼル３が挿入されるホゼル挿入穴５が設けられている。このホゼル挿入穴５は、筒体３ｂが挿入される、筒体３ｂと同形状の筒体挿入部５ｂと、取付片３ｃが挿入される、取付片３ｃと同形状の取付片挿入部５ｃとを有する。取付片挿入部５ｃは、筒体挿入部５ｂから後方に突出している。
【００２６】
ヘッド本体２のヒール部２ｅには、この取付片挿入部５ｃに達する小孔６が設けられている。
【００２７】
ゴルフクラブを組み立てるに際しては、シャフト４の先端を予めホゼル３のシャフト挿入穴３ａに差し込み、接着剤によって固着しておく。接着剤としては、例えばエポキシ系接着剤が用いられる。
【００２８】
第７図の通り、このホゼル３とシャフト４との連結体の該ホゼル３をホゼル挿入穴５に差し込む。ホゼル３をホゼル挿入穴５の奥まで挿入し、雌螺子穴３ｄと小孔６とを同軸状とした後、小孔６を通して雌螺子穴３ｄに螺子７をねじ込み、ホゼル３をヘッド本体２に固定する。これにより、シャフト４とゴルフクラブヘッド１とが一体となったゴルフクラブが完成する。このゴルフクラブにあっては、ホゼル３をホゼル挿入穴５に差し込んで螺子７で固定しているので、ホゼル３の取付強度及び剛性が高い。
【００２９】
なお、第６図の通り、ホゼル３の筒体３ｂの外周面に予めゴム、エラストマー、合成樹脂などよりなる薄片状の弾性材８を取り付けておくと、ホゼル３のガタツキを防止したり、インパクト時の衝撃や振動を吸収することができる。
【００３０】
ゴルフクラブのシャフト交換を行うには、交換すべき新シャフトに、予め上記ホゼル３と同型のホゼルを接着剤によって固着しておく。
【００３１】
既存のゴルフクラブの螺子７を外し、旧シャフト４を旧ホゼル３共々ヘッド本体２から取り外す。次いで、ホゼル付きの新シャフト（ホゼル・シャフト連結体）をヘッド本体２に差し込み、螺子７によって固定する。
【００３２】
このようにシャフトの取り付けや交換を極めて簡単かつ迅速に行うことができる。なお、従来では、シャフトの交換に際し既存のゴルフクラブのホゼル部分を加熱して接着剤硬化物の組織を壊し、シャフトを抜いた後、新シャフトを接着剤で固着するようにしていたため、数時間〜１日程度の時間がかかっていたが、上記実施の形態では、予め新シャフトにホゼル３を接着剤で取り付けておくことにより、シャフト交換を数分程度で行うことができる。従って、ホゼル付きの各種スペックのシャフトを用意しておき、同一のヘッド本体に順次に異なるシャフトを取り付けて試打する様な利用方式が実現可能となる。
【００３３】
なお、上記実施の形態では、取付片３ｃが筒体３ｂから後方に突出しており、またビス７をヒール部２ｅからねじ込むようにしているため、ゴルフクラブヘッドをフェース側から見たときに取付片３ｃや螺子７が目立たず、見栄えがよい。また、螺子７を上下に離隔させて複数本用いているので、ホゼル３の取付強度が極めて高い。
【００３４】
また、シャフト４に取り付けるグリップとして、断面が非真円形のものを用いることがある。例えば、グリップ外周面のうちアドレス状態で地面を指向する下側面をその他の面よりも膨出した形状とすることがある。このような場合、シャフト４にホゼル３を取り付けるに際し、取付片３ｃをグリップ膨出部からシャフト軸心回りにおおよそ反時計方向に９０°の方向に位置させることにより、グリップ膨出部が確実に地面側となるようにシャフトをヘッド本体に取り付けることができる。
【００３５】
このような断面非真円形のグリップの一例を第１１図〜第１５図に示し、このグリップをゴルフクラブヘッド１に装着したゴルフクラブを第１０図に示す。
【００３６】
なお、第１１図はグリップ９の側面図、第１２図はグリップ９の長手方向の縦断面図、第１３図は第１２図のXIII−XIII線に沿う断面図、第１４図は第１３図の拡大図、第１５図は第１０図のXV−XV線に沿う拡大断面図である。
【００３７】
第１０図の通り、ホゼル３にシャフト４の先端が差し込まれ、接着剤によって固定されている。なお、シャフト４の先端側に、ホゼル３に接するようにフェルール４ａが装着されている。
【００３８】
グリップ９は、シャフト４の挿入穴９ｂを有した略々筒状のものであり、ラバー等よりなる。このグリップ９は、その周方向の一部（図の下側）が厚肉部９ａとなっている。この厚肉部９ａは、グリップ９の長手方向にわたって延在している。厚肉部９ａは、グリップ９の内周面の断面形状（グリップ９の長手方向と直交方向の断面形状）が弦形となるように設けられている。このグリップ９にシャフト４を挿入すると、第１５図の通り、厚肉部９ａが内側から外方に向って押されて外周が膨出し、凸条部９ｃが形成される。この凸条部９ｃは、グリップ９の長手方向（シャフト４の長手方向）に延在する。通常の場合、この凸条部９ｃは、ゴルフクラブをアドレス状態とした場合に下側すなわち地面を向く側に位置する。
【００３９】
従って、この実施の形態では、シャフト４の軸心をグリップ９からホゼル３に向って見た場合において、アドレス状態では、凸条部９ｃはほぼシャフト軸心の鉛直下方に位置し、取付片３ｃはそれからおおよそ反時計方向に９０°の方向に位置している。
【００４０】
取付片３ｃと凸条部９ｃとの配置関係がこのようにシャフト軸心回りにほぼ９０°ずれるようにホゼル３にシャフト４を取り付けてホゼル・シャフト連結体を構成しておく。そうすると、どのホゼル・シャフト連結体をゴルフクラブヘッド１に取り付けても、凸条部９ｃはアドレス状態で必ず正しく地面側に配置される。
【００４１】
第８図及び第９図はホゼルの異なる構成を示すものであり、それぞれ（ａ）図はホゼルの側面図、（ｂ）図はホゼルの縦断面図である。
【００４２】
第８図のホゼル１０及び第９図のホゼル２０は、それぞれシャフト挿入穴１１，２１を有した筒体１２，２２と、筒体１２，２２から突設された取付片１３，２３と、取付片１３，２３に設けられた雌螺子穴１４，２４とを有する。
【００４３】
ホゼル１０にあっては、挿入方向先端側（下端側）の側周面から板ばね１５が突出している。第９図では、板ばねの代わりに、スプリング２６によって突出方向に付勢された突起２５が突出している。
【００４４】
このホゼル１０，２０を取り付けるヘッド本体のホゼル挿入穴の内周面に、板ばね１５又は突起２５が係合する凹部を設けておくことにより、ホゼル１０，２０をヘッド本体に差し込んだときに雌螺子穴１４，２４とヘッド本体の小孔との位置合わせを行うことができる。なお、上記凹部に達するように細孔をヘッド本体の外面から貫設しておく。ホゼル１０，２０をホゼル挿入穴から抜くときには、螺子７を外した後、該細孔にピン状体を挿入し、板ばね１５又は突起２５を後退させることにより、ホゼル１０，２０を抜き出すことができる。
【００４５】
上記実施の形態ではゴルフクラブヘッドはウッド型であるが、ユーティリティ型、アイアン型、パターなどのいずれのタイプのゴルフクラブヘッドにも本発明を適用することができる。
【００４６】
なお、図示の中空型のゴルフクラブヘッドの場合、ホゼル及びホゼル挿入穴を設けたことにより、ヒール側の重量が一般的なゴルフクラブヘッドに比べて大きくなる。そのため、トウ側の肉厚を大きくしたり、トウ側にウェイトを設けたりすることにより、ゴルフクラブヘッドのバランスをとるのが好ましい。
【００４７】
第１６，１７図はそのようなゴルフクラブヘッドの一例を示すものであり、第１６図はヘッド本体２のトウ部２ｄ側に肉厚部２ｔを設けたゴルフクラブヘッド１Ａの正面図である。第１７図はヘッド本体２のバック部２ｆにウェイトビス２ｗを取り付けたゴルフクラブヘッド１Ｂの側面図である。なお、ゴルフクラブヘッドのソール部やトウ側サイド部、バック部などにウェイト調整用の雌螺子穴を設けると共に、重量の異なる複数の螺子を準備しておき、重量の異なるビスと交換することにより、ゴルフクラブのスイングバランスを調整したり、ゴルフクラブヘッドの重心位置を調整することが出来る。
【００４８】
第１６，１７図のその他の構成は第１，２図と同様であり、同一符号は同一部分を示している。
【００４９】
本発明では、ホゼルに取付片３ｃ以外に、１つ若しくは複数の突状部を設けても良い。この突状部は、ホゼルのシャフト軸周りにおいて、取付片３ｃと別の方向に突設するのが好ましい。この突状部は、螺子穴を有しなくても良い。取付片以外に突状部を設けることにより、インパクト時の衝撃を分散させる事が出来る。
【００５０】
第１８図はその一例に係るゴルフクラブヘッド１Ｃの分解斜視図であり、第７図と同様部分を示している。ホゼル３Ｃには突状部３ｆが設けられ、ヘッド本体２のホゼル挿入穴５には、この突状部３ｆが嵌合する凹状部５ｆが設けられている。突状部３ｆはホゼル３Ｃの軸心から見てトウ部２ｄ側に設けられている。その他の構成は第７図と同様であり、同一符号は同一部分を示している。なお、第１８図は一例であり、突状部及び凹状部の形状や位置、数は図示以外であってもよい。
【００５１】
ヘッド本体及びホゼルの材質は特に限定されないが、ウッド型ゴルフクラブヘッドの場合、例えばチタン合金やアルミ合金、ステンレス等とすることができる。ホゼルについては、ヘッド本体と同等又はそれよりも低い比重の材質が好ましく、例えばアルミニウム、アルミ合金、マグネシウム合金、ＦＲＰ、合成樹脂などを用いてもよい。
【図面の簡単な説明】
【００５２】
【図１】実施の形態に係るゴルフクラブヘッド正面図である。
【図２】ゴルフクラブヘッドのヒール側の側面図である。
【図３】第３図（ａ）はホゼルの側面図、第３図（ｂ）は同（ａ）のＢ−Ｂ線断面図である。
【図４】第１図のIV−IV線断面図である。
【図５】第２図のＶ−Ｖ線断面図である。
【図６】弾性材を取り付けたホゼルの平面図である。
【図７】シャフトの取付、交換方法を示す斜視図である。
【図８】別の実施の形態に係るホゼルの構成図である。
【図９】さらに別の実施の形態に係るホゼルの構成図である。
【図１０】実施の形態に係るゴルフクラブの正面図である。
【図１１】グリップの側面図である。
【図１２】グリップの断面図である。
【図１３】第１２図のXIII−XIII線断面図である。
【図１４】第１３図の拡大図である。
【図１５】第１０図のXV−XV線拡大断面図である。
【図１６】異なる実施の形態に係るゴルフクラブヘッドの正面図である。
【図１７】さらに異なる実施の形態に係るゴルフクラブヘッドの側面図である。
【図１８】別の実施の形態を示す分解斜視図である。
【符号の説明】
【００５３】
１，１Ａ，１Ｂ，１Ｃ  ゴルフクラブヘッド
２  ヘッド本体
２ｅ  ヒール部
２ｔ  肉厚部
２ｗ  ウェイトビス
３，３Ｃ，１０，２０  ホゼル
３ａ，１１，２１  シャフト挿入穴
３ｂ，１２，２２  筒体
３ｃ，１３，２３  取付片
３ｄ，１４，２４  雌螺子穴
３ｆ  突状部
４  シャフト
５  ホゼル挿入穴
５ｂ  筒体挿入部
５ｃ  取付片挿入部
５ｆ  凹状部
６  小孔
７  螺子
９  グリップ
９ａ  厚肉部
９ｃ  凸条部
【図１】
0005262140.tif 000002
【図２】
0005262140.tif 000003
【図３】
0005262140.tif 000004
【図４】
0005262140.tif 000005
【図５】
0005262140.tif 000006
【図６】
0005262140.tif 000007
【図７】
0005262140.tif 000008
【図８】
0005262140.tif 000009
【図９】
0005262140.tif 000010
【図１０】
0005262140.tif 000011
【図１１】
0005262140.tif 000012
【図１２】
0005262140.tif 000013
【図１３】
0005262140.tif 000014
【図１４】
0005262140.tif 000015
【図１５】
0005262140.tif 000016
【図１６】
0005262140.tif 000017
【図１７】
0005262140.tif 000018
【図１８】
0005262140.tif 000019